(57)【要約】【課題】  背面側の美観を損ねない電気器具取付け用基台を提供すること。また、露呈した止めねじによる負傷のおそれが無い電気器具取付け用基台を提供すること。【解決手段】  電気器具取付け用基台１の本体２の背面側に、本体２の背面側を被覆し本体２に対して脱着可能なカバー３を設けた。カバー３には、支柱Ｘの外形に対応した形状の凹部が形成されている。また、電気器具取付け用基台１を支柱Ｘに固定するための取付部材４０を挿通固定することが可能な挿通孔３４が設けられ、挿通孔３４は、カバー３の上端縁付近および下端縁付近に、それぞれ左右方向に２つずつ併設されている。【選択図】図８
2019110668.tif 000002
【特許請求の範囲】
【請求項１】
電力量メータ、スイッチボックスまたはヒューズボックスなどの電気器具を、壁面などの取付部に取付固定するための電気器具取付け用基台であって、前記電気器具取付け用基台の本体の背面側に、前記本体の背面側を被覆し前記本体に対して脱着可能なカバーを備えたことを特徴とする電気器具取付け用基台。
【請求項２】
前記カバーには、前記取付部の外形に対応した形状の凹部が形成されていることを特徴とする請求項１に記載の電気器具取付け用基台。
【請求項３】
前記カバーには、前記電気器具取付け用基台を前記取付部に固定するための取付部材を挿通固定することが可能な挿通孔が設けられたことを特徴とする請求項１または請求項２に記載の電気器具取付け用基台。
【請求項４】
前記挿通孔は、前記カバーの上端縁付近および下端縁付近に、それぞれ左右方向に２つずつ併設されていることを特徴とする請求項３に記載の電気器具取付け用基台。
【請求項５】
前記取付部材は、ベルト状の部材であることを特徴とする請求項３または請求項４に記載の電気器具取付け用基台。
【発明の詳細な説明】
【技術分野】
【０００１】
本発明は、電気配線工事において、電力量メータ、スイッチボックス、ヒューズボックス等電気器具を壁面等に取付けるのに使用する電気器具取付け用基台に関する。
【背景技術】
【０００２】
従来、電力会社の電力量メータ等電気器具を壁面へ据付ける場合、木製の基台を壁面に固定し、それに電力量メータを直接取付けるか、電力量メータを備えたボックスを取付けていたが、近年においては、合成樹脂製取付け板の表面に多数の取付用螺溝を直線状、斜線状、格子状に配列し、或いは多数の小円を規則的に配列し、複数の取付用螺溝のいずれかにねじ込むようにした電気器具取付け用基台（特許文献１）や、積算電流計の取付台の前面全体に格子状に四角形の固定孔を設けた電気器具取付け用基台（特許文献２）がある。
【先行技術文献】
【特許文献】
【０００３】
【特許文献１】実公昭６０−２７９３０号公報
【特許文献２】実開昭５１−６６４５５公報
【発明の概要】
【発明が解決しようとする課題】
【０００４】
前述した従来の電気器具取付け用基台では、電力量メータなどを固定するために基台にねじ込まれた止めねじの先端部分が、基台本体の裏面側に突出して露呈することがある。よって、このように露呈した止めねじは、基台およびこれに固定された電気器具の美観を損ねる。また、さらにメンテナンスの際や、特定の施設外に設置されている基台の場合には子供などが誤って手を突っ込むおそれがある場合などにおいて、露呈した止めねじにより負傷するおそれがある。
【０００５】
本発明の目的は、前述した従来技術の課題を解決しようとするものであり、背面側の美観を損ねない電気器具取付け用基台を提供することにある。また、露呈した止めねじによる負傷のおそれが無い電気器具取付け用基台を提供することにある。
【課題を解決するための手段】
【０００６】
上記目的を達成するものは、以下のものである。
（１）電力量メータ、スイッチボックスまたはヒューズボックスなどの電気器具を、壁面などの取付部に取付固定するための電気器具取付け用基台であって、前記電気器具取付け用基台の本体の背面側に、前記本体の背面側を被覆し前記本体に対して脱着可能なカバーを備えたことを特徴とする電気器具取付け用基台。
（２）前記カバーには、前記取付部の外形に対応した形状の凹部が形成されていることを特徴とする（１）に記載の電気器具取付け用基台。
（３）前記カバーには、前記電気器具取付け用基台を前記取付部に固定するための取付部材を挿通固定することが可能な挿通孔が設けられたことを特徴とする（１）または（２）に記載の電気器具取付け用基台。
（４）前記挿通孔は、前記カバーの上端縁付近および下端縁付近に、それぞれ左右方向に２つずつ併設されていることを特徴とする（３）に記載の電気器具取付け用基台。
（５）前記取付部材は、ベルト状の部材であることを特徴とする（３）または（４）に記載の電気器具取付け用基台。
【０００７】
本発明の電気器具取付け用基台では、基台の本体の背面側を被覆可能なカバーを脱着可能に備えたので、電気器具を固定するために基台の本体にねじ込まれて本体の背面側に露呈した止めねじの先端部分を被覆することができる。よって、電気器具取付け用基台の美観を損ねず、また、本体の背面側に露呈した止めねじの先端部分による負傷のおそれを回避することができる。
【図面の簡単な説明】
【０００８】
【図１】図１は、本発明の実施の形態の電気器具取付け用基台の斜視図である。
【図２】図２は、図１の電気器具取付け用基台の背面図である。
【図３】図３は、図１の電気器具取付け用基台の正面図である。
【図４】図４は、図１の電気器具取付け用基台の左側面図である。
【図５】図５は、図１の電気器具取付け用基台の平面図である。
【図６】図６は、図１の電気器具取付け用基台の本体の背面図である。
【図７】図７は、図１の電気器具取付け用基台のカバーの裏側面の図である。
【図８】図８は、図１の電気器具取付け用基台の使用状態を示す図である。
【発明を実施するための形態】
【０００９】
以下、本発明の電気器具取付け用基台について、図面に示した実施の形態を用いて説明する。図１に示すように、本発明の電気器具取付け用基台１は、基台１の本体２の背面側に、カバー３が取り付けられ、基台１の正面側から螺入されたと電気器具の取付用の止めねじの先端部分を被覆するものである。
【００１０】
図１から図３に示すように、本発明の電気器具取付け用基台１は、正面視が縦長の長方形状で、かつ、図１、図４および図５に示すように、薄板状に全体が形成されている。本例では、電気器具取付け用基台１は、縦４１０ｍｍ、横２２０ｍｍとされているが、サイズは適宜変更することができる。また、形状についても長方形状以外のものにも適用することができる。図３および図６に示すように、電気器具取付け用基台１の本体２には、正面視における四辺の外枠部２１と、この外枠部２１の内側に配設される板状部２５が備えられている。
【００１１】
図３および図６に示すように、板状部２２には、電気器具を取り付けるための止めねじの軸径とほぼ同じか僅かに大きくした多数の四角錐状のねじ螺入用凹孔２６が、縦横に連続的に配設されている（なお、図３および図６においては、これらの螺入用凹孔２６の一部のみを図示してその他は省略している）。これらの多数の螺入用凹孔２６を設けることにより、電力量メータやメータボックスなどを取付ける場合に、これらの螺入用凹孔２６に挿入した止めねじをいずれかのねじ螺入用凹孔２６に合せやすく、止めねじをその螺入用凹孔２６に立てるときには、四角錐状の形状の四方の傾斜面により、板状部２５に対して止めねじが垂直となるようにして、止めねじを板状部２５に適切に螺合することができる。
【００１２】
図６に示すように、本体２の外枠部２１の背面側には、本体２にカバー３を固定するための止めねじを螺合するためのねじ穴２３が設けられている。ねじ穴２３は、外枠部２１の上枠部２１ａおよび下枠部２１ｃには、それぞれ上枠部２１ａまたは下枠部２１ｃの長手方向に一列に沿って４か所設けられており、右枠部２１ｂおよび左枠部２１ｄには、それぞれ右枠部２１ｂまたは左枠部２１ｄの長手方向に一列に沿って２か所設けられている。
【００１３】
ついで、カバー３について説明する。図１、図２および図７に示すように、カバー３は、本体２の背面視形状とほぼ同一に形成されており、図６に示す本体２の背面を、ほぼ完全に被覆するように形成されている。図１に示すように、カバー３の外縁部３１には、前述した本体２の外枠部２１の各ねじ穴２３に対応するように、その上縁部３１ａおよび下縁部３１ｃに、それぞれ一列に４か所、右縁部３１ｂおよび左縁部３１ｄには、それぞれ一列に２か所、止めねじを固定するための貫通孔３３が設けられている。
【００１４】
また、上縁部３１ａと下縁部３１ｃには、図８に示すような取付部材４０を挿通するための２つの挿通孔３４がそれぞれ設けられている。これらの挿通孔３４は、一列に沿って形成された４つの貫通孔３３の中央の部位に、それぞれ２つずつ設けられている。取付部材４０は、本例では図８に示すようなスチールベルトが用いられている。このため、本例における挿通孔３４は、縦に長く細い直線の隙間状に形成されている。これらの挿通孔３４にそれぞれ取付部材４０が挿通され、図８示す例では、取付部の一例である支柱Ｘに巻き付けるようにして取付部材４０が固定されて、電気器具取付け用基台１が支柱Ｘに固定される。
【００１５】
また、図１に示すように、上縁部３１ａと下縁部３１ｃのそれぞれ２つ設けられた挿通孔３４の間には、奥側に屈曲して形成された凹部３６が形成されている。さらにまた、カバー３の中央の本体３８には、左右方向において奥側に湾曲して形成された凹部３９が、上下方向に沿って設けられている。これらの凹部３６および凹部３９が支柱Ｘに沿って嵌合することにより、電気器具取付け用基台１が支柱Ｘにより確実に固定される。この凹部３６および凹部３９が支柱へ取付られた際には、支柱Ｘに対する水平方向への電気器具取付け用基台１のぐらつきを確実に規制することができる。
【００１６】
本実施の形態は上記のように構成されているので、以下のような効果を奏する。
カバー３により本体２の背面側を被覆することができるので、本体２の正面側のねじ螺入用凹孔２６からねじ込まれて本体２の背面側に突出する止めねじの先端部分を被覆することができる。よって、電気器具Ｙを取り付けた電気器具取付け用基台１の背面側の美観を損ねないようにすることができる。また、止めねじの先端部分による負傷のおそれを回避することができる。
【００１７】
カバー３には、電気器具取付け用基台１を支柱Ｘなどの取付部に固定するための取付部材４０（スチールベルト）を挿通することのできる挿通孔３４が設けられており、電気器具取付け用基台１を支柱Ｘに簡便かつ確実に固定することができる。
【００１８】
前述の通り、カバー３には、上縁部３１ａと下縁部３１ｃにおいて、挿通孔３４の間に奥側に屈曲して形成された凹部３６が形成されているので、この凹部３６が支柱Ｘに嵌合することにより、支柱Ｘに対する水平方向への電気器具取付け用基台１のぐらつきを確実に規制することができる。さらにまた、カバー３の中央の本体３８に、奥側に湾曲して形成された凹部３９が形成されているので、凹部３６と相まって支柱Ｘへの固定を確実にすることができる。
【００１９】
本発明は、前述した実施の形態に限られるものではなく、本発明の趣旨の範囲内で適宜変更することが可能である。例えば、カバーの形状は前述した実施の形態のものに限らず、ねじ螺入用凹孔２６が被覆されていれば良い。よって、例えば、電気器具取付け用基台１の本体２の背面側全体が被覆されていることは必要は無く、本体２の背面側の一部であっても、ねじ螺入用凹孔２６が形成された部位のみを被覆可能な形状のカバーであっても良い。また、本体２へのカバーの取り付け方は止めねじに限るものではなく、他の方法であっても良い。電気器具取付け用基台が取り付け固定される取付部は、支柱Ｘに限らず、壁面その他の電気器具取付け用基台を取り付ける必要のある対象物全般とする。よって、前述した例の凹部３６や凹部３９の形状や、挿通孔３４の形状およびその位置などは、取付部の形状に合わせて、変更することも可能である。
【産業上の利用可能性】
【００２０】
本発明は、電力量メータ、スイッチボックスまたはヒューズボックスなどの電気器具を、壁面などの取付部に取付固定するための電気器具取付け用基台に広く利用することができる。
【符号の説明】
【００２１】
１；電気器具取付け用基台
２；本体
２１；外枠部、２１ａ；上枠部、２１ｂ；右枠部、２１ｃ；下枠部、２１ｄ；左枠部、２３；ねじ穴、２５；板状部、２６；ねじ螺入用凹孔、
３；カバー
３１；外縁部、３１ａ；上縁部、３１ｂ；右縁部、３１ｃ；下縁部、３１ｄ；左縁部、３３；貫通孔、３４；挿通孔、３６；凹部、３８；本体、３９；凹部
４０；取付部材  
Ｘ；支柱
Ｙ；電気器具
【図１】
2019110668.tif 000003
【図２】
2019110668.tif 000004
【図３】
2019110668.tif 000005
【図４】
2019110668.tif 000006
【図５】
2019110668.tif 000007
【図６】
2019110668.tif 000008
【図７】
2019110668.tif 000009
【図８】
2019110668.tif 000010